(57)【要約】      （修正有）【課題】従来の稲の不耕起栽培法において、田面の高低、足跡をなくし、籾種の良好な発芽を行わせる方法の提供。【解決手段】田をトラックターで高低なく耕して整地し、また動力噴射機などを使用して、田の回りから、レンゲの種子４を田面に散布することにより足跡などをいっさい残さないようにする。【選択図】  図２
2004147570.tif 000002
【特許請求の範囲】
【請求項１】
稲刈り後、田をトラックターで耕し整地し、動力噴射機を使用して、田の回りからレンゲの種子（４）を散布し、田面に足跡などの凹み（７）を作らないレンゲ耕起栽培による稲の不耕起栽培方法。
【請求項２】
藁（５）を微塵に寸断なすため、コンバインの切断用刃車の間隔を細部に設置する請求項１記載のレンゲ耕起栽培による稲の不耕起栽培方法。
【請求項３】
トラックターに地面高低矯正用のレーザー装置を取り付け、田面を水平かつ均一に耕運する請求項１記載のレンゲ耕起栽培による稲の不耕起栽培方法。
【発明の詳細な説明】
【０００１】
【発明の属する技術分野】
本発明は、田を耕起してレンゲを栽培する。除草剤また、農薬による病害虫の予防駆除の使用をすべて排除する。また、化学肥料、有機肥料等も施さない。自然のなかに稲を放置するのではなく、自然の状態を適切に生かし、または、そこへ誘導する稲作自然栽培方法に関するものである。
【０００２】
【従来の技術】
従来からの、レンゲ栽培による稲の不耕起栽培方法は、最小限に人の手を加えない完璧を主旨とする自然農法であった。従って自然農法に執着するあまり、レンゲの播種も初回の一回限りとし、田の耕起などは皆無とした。
【０００３】
【発明が解決しょうとする課題】
本発明は、田を耕運する経費、レンゲの種子代金、レンゲ種子散布の労賃などを必要とし、自然農法の主旨に大いに反する。が、田を耕し、レンゲ種子を散布するという自由な発想で、問題点の打開を図るものである。
従来の自然農法の在り方の一部を修正し、より実用化の方向にもっていくというのが骨子である。レンゲ栽培による稲の不耕起栽培方法のこれまでの弱点の一部を改修し、自然農法によるコメ栽培法を、より実質的なものに改革をなすものである。
【０００４】
従来からのレンゲ栽培による稲の不耕起栽培方法では、前年の稲株があり、翌春、稲株からいたるところで発芽する。従って、新旧入れ混じり、稲が密集して通風が悪く稲の育成を妨げた。また、密集した稲は徒長するし、病害虫の発生も促した。
【０００５】
田面には前年の足跡などの凹みが多く、凹みの稚苗は冠水し腐敗して消えた。
【０００６】
稲を刈って田に藁を切り込んだり、刈った藁を田に放置したりすると、すでに発芽している初期の小さく若いレンゲは消える。従って藁の必要あるなしに関わらず、藁は田より外に搬出せねばならない労力を要した。
【０００７】
従来の、レンゲ栽培による稲の不耕起栽培方法では、田面が固く亀裂などもあり、播種したモミ種の発芽は必ずしも良好とはいえないなどの問題点があった。
【０００８】
レンゲの種子を播種する初回を除いて、レンゲは年毎に密集を重ね繁茂を増大させる。従って、従来からの泣きどころであるモミ種の発芽率の低下、繁茂するレンゲの中での稚苗の成育に好ましからぬ影響を与えた。
【０００９】
乾式直播稲栽培では、湛水直播稲栽培に比較して田面の高低の把握が出来ず、水平がたもてない点が泣きどころであった。
【００１０】
畑と異なり田の場合、藁を切り込み耕すと田面に若干の凹凸が生じる。
【００１１】
【課題を解決するための手段】
【００１２】
旧来の自然農法の一部を改修し、田を耕し、レンゲを新たに播種するという工程を加味する。
【００１３】
自然農法の命題にこだわらず臨機応変に対処して、稲刈り後、藁を切り込んだ田をトラックターで耕す。田面に凹みの人の足跡を残さないためにトラックターを使用し、また、田に入らず回りからレンゲの種子を動力噴射機で田面に散布する。
【００１４】
レンゲの種子を播種するため耕起するこの方法は、田面が軟らかく均一になり播種したレンゲの種子や、翌年５月播種するのモミ種の発芽率がきわめて良好となる。
【００１５】
稲刈り後、耕すことで前年のレンゲは生えない。毎年、新たにレンゲを播種するこの方法は、問題点である不必要なレンゲの繁茂を矯正できる。モミ種の発芽を増長し、また、レンゲの中での稚苗の成育に支障をきたさない。
【００１６】
本発明は乾式直播栽培に基ずく稲作である。乾式直播稲栽培で従来からの重要な問題点は、湛水直播稲栽培に比較して、田面の高低が把握できにくい点にあった。このことが、乾式直播稲栽培の普及を大きく阻んだ要因の一つである。
しかし、きわめて簡単に解決は可能である。以前より一部のブルドーザーに付帯しているレーザー光の装置によって、ミリ単位の地面の高低矯正の作業が可能である。このレーザー光の装置をトラックターにも採用すればよい。
【００１７】
畑の耕運と異なり田の場合は、藁を切り込むので田面に若干の凹凸が生じやすい難点があった。が、従来のコンバインの藁切断の刃車の数センチ  間隔を１センチ  〜２センチ  に狭くすれば藁は、微塵に寸断でき問題は解決できる。さらに畑を耕運する場合より、トラックターでの田の耕運回数を２〜３回増せばよい。
上記のトラックターでの水平耕地及び藁の寸断は、容易に解決できる問題であると同時に、この二つの条件は田の乾式による直播稲作には必須条件である。これなくしてレンゲ耕起栽培による不耕起稲栽培法の普及は事実上不可能である。
【００１８】
【発明の実施の形態】
発明の実施の形態を実施例にもとずき図面を参照に説明する。
図１について、翌年の４月下旬から５月上旬にかけて、整地した田に成育するレンゲ２のなかにモミ種１を播種する。
【００１９】
図２に示される実施例では、稲刈りの時点で、略奪農法に陥らないために、土壌３の肥沃を考慮して藁５は田に切り込み、後、トラックターで耕し整地と同時に藁５を土壌３に混入させる。
【００２０】
【発明の効果】
従来からの自然農法と異なり、藁を土壌に混入させることで土壌の疲弊を免れる。
【００２１】
毎年新規のレンゲ栽培によるので、レンゲ繁茂による弊害がおこらない。
【００２２】
藁を細かく切り土壌に混入させることで、藁の搬出する労力を必要としない。
【００２３】
旧稲株から発芽する稲、新規な稲が混同して無秩序の状態になり、通風を悪化し病害虫を発生させる懸念が、本発明にはない。
【００２４】
田面は均一であるから、凹みで成育中の稚苗が冠水して腐敗する懸念がない。
【００２５】
水で練り固められた旧田ではなく、稲刈り後に耕してあり、比較的田面が柔らかく播種するモミ種の発芽率がよい。
【００２６】
旧稲株の条は、定規で線を引いたように一直線にはなっていない。レンゲの繁茂で旧稲株見えない。旧稲株の間にモミ種を播種しなければならない。が、旧稲株の中に落ちたモミ種は、発芽しない欠点があった。本発明は、稲刈り後、耕して整地するためその心配がない。
【００２７】
乾式直播稲栽培に関してレーザー光の装置で、田面の高低を水平状態に完璧に矯正できる。
【００２８】
藁をコンバインの刃車設置の間隔変更で、藁を微塵に寸断し、耕された田面の凹凸を皆無にする。
【００２９】
本発明は、以上説明したように、稲刈り後トラックターで耕し、レンゲの種子を動力噴射機で散布して播種を行なう二工程の補正をおこなった。
従来からのレンゲ栽培による稲の不耕起栽培方法はすでに久しい。自然農法の究極の理想を追及するあまり、進展することなく停滞を余儀なくされてきた。
従って本発明は、自然農法のうえから邪道というべきものであるが、定石を覆すことで、あえて改革をなし得るものである。稲の栽培に化学肥料及び有機肥料を施肥しない。除草剤を使用しない。農薬等を一切用いない自然農法の特徴を現実に持続し、運営することができる特徴を有する。
【図面の簡単な説明】
【図１】モミ種をレンゲンの生えている中に播種した状態を示す図である。
【図２】土壌とレンゲンの種子の状態を示す図である。
【図３】レンゲ栽培による稲の不耕起栽培方法の図である。
【符号の説明】
１  モミ種
２  レンゲ
３  土壌
４  レンゲの種子
５  藁
６  初期のレンゲ
７  凹み
８  稲株
【図１】
2004147570.tif 000003
【図２】
2004147570.tif 000004
【図３】
2004147570.tif 000005